(57)【要約】【課題】パネルユニットが回動する構成においてパネルユニットが持ち上げられたときに加わる負荷に対する剛性を向上させた画像形成装置を提供する。【解決手段】画像形成装置としての複合機１は、筐体２１と、パネルユニット４と、第１連結部８１と、板状部材７と、第２連結部８２と、案内溝２１２とを備える。そして、突出姿勢、つまりパネルユニット４が傾斜した第２位置にあり、板状部材７が傾斜した第４位置にある状態において、第２連結部の回動軸である第２回動軸と案内溝２１２に案内されるボス７７と案内溝２１２の下端部２１４とを第２回動軸に垂直な面に投影して形成されるボス７７を頂点とする角θが鈍角である。【選択図】図８
2017177770.tif 000002
【特許請求の範囲】
【請求項１】
筐体と、
操作部及び／又は表示部と、回動基端側の第１端部と、回動先端側の第２端部とを有するパネルユニットと、
前記筐体と前記パネルユニットの前記第１端部近傍とを連結し、第１回動軸線を回動の中心として、前記筐体の一側面に沿う第１位置と前記一側面の外側へ向かって傾斜した第２位置との間で回動できるように、前記パネルユニットを支持する第１連結部と、
前記第２端部側の第３端部と、前記第３端部と反対側の第４端部と、前記第４端部近傍に形成された前記第１回動軸線と平行なボスとを有し、前記パネルユニットが前記第１位置にある場合に第３位置に位置し、前記パネルユニットが前記第２位置にある場合に第４位置に位置する板状部材と、
前記パネルユニットの第２端部近傍と前記板状部材の前記第３端部近傍とを連結し、前記板状部材が、前記第２回動軸線を回動の中心として、前記第３位置と前記第４位置との間で回動できるように前記板状部材を支持する第２連結部と、
前記筐体に前記一側面に沿って延びるように形成され、前記板状部材が前記第４位置にある場合に前記ボスを前記第１端部から近い第５端部側に案内し、前記板状部材が前記第３位置にある場合に前記ボスを前記第１端部から遠い第６端部側に案内する案内溝とを備え、
前記パネルユニットが前記第２位置にあり、前記板状部材が前記第４位置にある状態において、前記第２回動軸線と前記ボスと前記第６端部とを前記第２回動軸線に垂直な面に投影して形成される前記ボスを頂点とする角が鈍角であることを特徴とする画像形成装置。
【請求項２】
前記筐体の前記一側面に画像形成されたシートの排出口が形成され、
前記パネルユニットが前記第１位置にあり、前記板状部材が前記第３位置にある状態において、前記板状部材が前記排出口の一部又は全部を覆うことを特徴とする請求項１に記載の画像形成装置。
【請求項３】
前記パネルユニットが前記第２位置にあり、前記板状部材が前記第４位置にある状態において、前記板状部材の前記排出口側の面がシートを排出するガイドとなることを特徴とする請求項２に記載の画像形成装置。
【請求項４】
前記第２連結部が前記第２端部で連結されることを特徴とする請求項１から請求項３の何れか一項に記載の画像形成装置。
【請求項５】
前記パネルユニットが前記第１位置にあり、前記板状部材が前記第３位置にある状態において、前記板状部材の前面が前記筐体の前記一側面と面一であることを特徴とする請求項１から請求項４の何れか一項に記載の画像形成装置。
【請求項６】
前記パネルユニットが前記第１位置にあり、前記板状部材が前記第３位置にある状態において、前記パネルユニットの前面が前記筐体の前記一側面と面一であることを特徴とする請求項１から請求項５の何れか一項に記載の画像形成装置。
【発明の詳細な説明】
【技術分野】
【０００１】
本発明は、回動可能なパネルユニットを備えた画像形成装置に関する。
【背景技術】
【０００２】
従来、筐体に対して収納姿勢と突出姿勢との間で回動可能なパネルユニットを備えた画像形成装置がある。パネルユニットには表示部や操作部が配置されており、収納姿勢のときには、画像形成装置全体を省スペース化でき、突出姿勢のときには、パネルユニットの表面が傾斜するため、ユーザが操作部の操作をしやすくなるとともに表示部の表示内容を視認しやすくなる。
【０００３】
このような画像形成装置においては、ユーザが突出姿勢のパネルユニットの回動先端側に手を掛けて画像形成装置を持ち上げる可能性がある。この対策として、例えば特許文献１では、パネルユニットの裏面と装置本体とを繋ぐリンク体を設けることで剛性を上げている。
【先行技術文献】
【特許文献】
【０００４】
【特許文献１】特開２０１２−１７９７６５号公報
【発明の概要】
【発明が解決しようとする課題】
【０００５】
特許文献１の構成によると、パネルユニットに軸受溝を設けてリンク体の回動軸をスライド可能かつ回動可能に支持している。そのため、パネルユニットを補強せずに剛性を確保することが難しく、改良の余地がある。
【０００６】
本発明は、パネルユニットが回動する構成においてパネルユニットが持ち上げられたときに加わる負荷に対する剛性を向上させた画像形成装置を提供することを目的とする。
【課題を解決するための手段】
【０００７】
本発明の画像形成装置は、筐体と、操作部及び／又は表示部と、回動基端側の第１端部と、回動先端側の第２端部とを有するパネルユニットと、前記筐体と前記パネルユニットの前記第１端部近傍とを連結し、第１回動軸線を回動の中心として、前記筐体の一側面に沿う第１位置と前記一側面の外側へ向かって傾斜した第２位置との間で回動できるように、前記パネルユニットを支持する第１連結部と、前記第２端部側の第３端部と、前記第３端部と反対側の第４端部と、前記第４端部近傍に形成された前記第１回動軸線と平行なボスとを有し、前記パネルユニットが前記第１位置にある場合に第３位置に位置し、前記パネルユニットが前記第２位置にある場合に第４位置に位置する板状部材と、前記パネルユニットの第２端部近傍と前記板状部材の前記第３端部近傍とを連結し、前記板状部材が、前記第２回動軸線を回動の中心として、前記第３位置と前記第４位置との間で回動できるように前記板状部材を支持する第２連結部と、前記筐体に前記一側面に沿って延びるように形成され、前記板状部材が前記第４位置にある場合に前記ボスを前記第１端部から近い第５端部側に案内し、前記板状部材が前記第３位置にある場合に前記ボスを前記第１端部から遠い第６端部側に案内する案内溝とを備え、前記パネルユニットが前記第２位置にあり、前記板状部材が前記第４位置にある状態において、前記第２回動軸線と前記ボスと前記第６端部とを前記第２回動軸線に垂直な面に投影して形成される前記ボスを頂点とする角が鈍角である。
【０００８】
上記の構成によれば、案内溝を筐体に設けることにより、パネルユニットに案内溝を設けた場合に比べてパネルユニットの剛性を犠牲にすることがない。また、上記の角が鈍角であることにより、パネルユニットが第２位置から第１位置へ回動する場合に、ボスが引っ掛かることなく案内溝に沿って移動できるので、板状部材は第４位置から第３位置へ移動する。
【発明の効果】
【０００９】
本発明によれば、案内溝を筐体に設けることにより、パネルユニットが持ち上げられたときに加わる負荷に対する剛性を向上させることができる。加えて、上記の角が鈍角であることによっても剛性を向上させることができる。
【図面の簡単な説明】
【００１０】
【図１】一実施形態の複合機の斜視図である。
【図２】一実施形態の複合機の斜視図である。
【図３】図１の状態の正面図である。
【図４】図２の状態の正面図である。
【図５】パネルユニット及び板状部材の背面側の斜視図であり、（ａ）は図１の状態に対応した図、（ｂ）は図２の状態に対応した図である。
【図６】板状部材の斜視図であり、（ａ）は板状部材の前面側の斜視図であり、（ｂ）は板状部材の背面側の斜視図である。
【図７】図３のＡ−Ａ線断面図である。
【図８】図４のＢ−Ｂ線断面図である。
【図９】図４のＣ−Ｃ線断面図である。
【図１０】変形例の複合機の断面図である。
【発明を実施するための形態】
【００１１】
以下の実施形態では、画像形成装置であるプリンタと、画像読取装置であるスキャナとを搭載した複合機を例に説明する。また、図１に示すように複合機が使用可能に設置された状態を基準とし、前後、左右、上下の各方向を定める。
【００１２】
［複合機の全体構成］
図１及び図２は一実施形態の複合機の斜視図である。図１のパネルユニットは収納姿勢を示し、図２のパネルユニットは突出姿勢を示している。図３は図１の状態の正面図、図４は図２の状態の正面図である。複合機１は、プリンタユニット２と、プリンタユニット２の上部に搭載されたスキャナユニット３とを備えている。
【００１３】
プリンタユニット２の外観は略直方体の筐体２１によって構成されている。プリンタユニット２の前部上側には、パネルユニット４が設けられている。パネルユニット４は、厚みの薄い直方体状のケース４１と、複合機１の状態や機能等を表示する表示部４２と、複数の押しボタン等で構成され、ユーザによって操作される操作部４３とを備えている。なお、パネルユニット４は表示部４２又は操作部４３の一方のみを備える構成であってもよい。
【００１４】
パネルユニット４の下方には、印刷後のシートを排出する排出口５が形成されている。排出口５の下方には、印刷前のシートが収納されるシートカセット６が装着されている。
【００１５】
プリンタユニット２の左右下端部には、ユーザが複合機１を持ち上げるための把持部２２が形成されている。但し、図１及び図２には、右下端部の把持部２２のみが記載されている。また、パネルユニット４が図１のように収納姿勢にある場合に排出口５を覆う板状部材７が設けられている。この板状部材７は、パネルユニット４が図２のように突出姿勢にある場合に排出口５を開放してパネルユニット４の下端部を支持する。
【００１６】
また、プリンタユニット２には、シートカセット６又は背面給紙トレイから送られてくるシートに画像を形成し、画像が形成されたシートを排出口５に送り出す画像形成部（図示せず）が内蔵されている。なお、画像形成部の方式には特に限定はなく、例えば、インクジェットプリント方式やレーザープリント方式を採用できる。
【００１７】
スキャナユニット３は、フラットベッド型のカバー部３２と、プリンタユニット２の上部及びカバー部３２の下部に配設された画像読取部（図示せず）を備えている。画像読取部としては、例えば、光源から読み取り対象となる原稿に光を照射して、その反射光を電気信号に変換するイメージセンサをモータによって左右方向へ往復走査させるイメージスキャナを採用できる。また、スキャナユニット３は、複数枚の原稿を一枚ずつ分離して記録面の画像をイメージセンサで読み取るためのＡＤＦ（Ａｕｔｏｍａｔｉｃ  Ｄｏｃｕｍｅｎｔ  Ｆｅｅｄｅｒ）３１も備えている。
【００１８】
以上説明した複合機１の各部のうち、少なくともパネルユニット４からの入力を受け付けて、画像形成部、画像読取部及びＡＤＦ３１の動作を制御するための制御部（図示せず）が、複合機１の筐体内部に設置されている。制御部には、複合機１のプリンタ機能、スキャン機能、コピー機能などを実現するための各種処理を実行するマイコンが実装されている。
【００１９】
［パネルユニット及び板状部材の構成］
図５はパネルユニット４及び板状部材７の背面側の斜視図である。図５（ａ）は図１の状態、すなわち収納姿勢にあるパネルユニット４の背面側の斜視図に対応し、図５（ｂ）は図２の状態、すなわち突出姿勢にあるパネルユニット４の背面側の斜視図に対応している。図６は板状部材７の斜視図である。図６（ａ）は板状部材７の前面側の斜視図であり、図６（ｂ）は板状部材７の背面側の斜視図である。
【００２０】
ここで、図５（ａ）及び図１に示すように、パネルユニット４と板状部材７とが上下方向に概ね直立した収納姿勢にあるときのパネルユニット４の位置を第１位置、板状部材７の位置を第３位置とする。また、図５（ｂ）及び図２に示すように、パネルユニット４と板状部材７とが筐体２１の外側に向かって傾斜した突出姿勢にあるときのパネルユニット４の位置を第２位置、板状部材７の位置を第４位置とする。
【００２１】
また、図５（ａ）及び図１の状態を基準として、パネルユニット４の上端部４４をパネルユニット４の回動基端側となる第１端部の一例、パネルユニット４の下端部４５をパネルユニット４の回動先端側となる第２端部の一例とする。さらに、板状部材７の上端部７５を板状部材７の回動基端側となる第３端部の一例、板状部材７の下端部７４を板状部材７の回動先端側となる第４端部の一例とする。
【００２２】
パネルユニット４の左右外側面の上端部４４近傍には、それぞれ左右方向に水平に外側へ突出した円柱状のボス４６が形成されている。両ボス４６は左右方向に水平に延びる第１回動軸線４６Ａ上に配置される。ボス４６は筐体２１に形成される孔（図示せず）に挿嵌され回動可能に支持される。ボス４６と孔とによって筐体２１とパネルユニット４とを連結する第１連結部８１が構成される。第１連結部８１は、パネルユニット４が、第１回動軸線４６Ａを回動の中心として、第１位置と第２位置との間で回動できるように、パネルユニット４を支持する。
【００２３】
なお、第１連結部８１は、筐体２１とパネルユニット４の上端部４４近傍とを連結し、パネルユニット４が、第１回動軸線４６Ａを回動の中心として、第１位置と第２位置との間で回動できるようにパネルユニット４を支持する構成であれば特に限定はない。例えば、パネルユニット４の左右外側面の上端部４４近傍に孔を形成し、その孔に挿嵌されるボスを筐体２１に形成してもよい。
【００２４】
パネルユニット４の左右内側面の下端部４５近傍、より好ましくは下端部４５には、それぞれ左右方向に水平に内側へ突出した円柱状のボス４７が形成されている。両ボス４７は左右方向に水平に延びる第２回動軸線４７Ａ上に配置される。ボス４７は板状部材７に形成される孔７６に挿嵌され回動可能に支持される。ボス４７と孔７６とによってパネルユニット４と板状部材７とを連結する第２連結部８２が構成される。第２連結部８２は板状部材７を第２回動軸線４７Ａを中心として第３位置と第４位置との間で回動可能とする。
【００２５】
なお、第２連結部８２は、パネルユニット４の下端部４５近傍と板状部材７の上端部７５近傍とを連結し、板状部材７が、第２回動軸線４７Ａを回動の中心として、第３位置と第４位置との間で回動できるように板状部材７を支持する構成であれば特に限定はない。例えば、パネルユニット４の左右内側面の下端部４５近傍、より好ましくは下端部４５に孔を形成し、その孔に挿嵌されるボスを板状部材７に形成してもよい。
【００２６】
板状部材７は、排出口５と同程度の大きさである前板部７１を有する。また、板状部材７は、前板部７１の左端、右端、下端からそれぞれ背面側に直角に折れ曲がった左側面部７２、右側面部７３、下端部７４を有する。そして、左側面部７２及び右側面部７３の上端が板状部材７の上端部７５となる。
【００２７】
板状部材７の左側面部７２及び右側面部７３の上端部７５近傍には、それぞれ左右方向に貫通する孔７６が形成されている。孔７６は第２回動軸線４７Ａ上に配置される。孔７６は上述したようにボス４７を支持する。
【００２８】
板状部材７の左側面部７２及び右側面部７３の外面の下端部７４近傍には、それぞれ左右方向に水平に外側へ突出した円柱状のボス７７が形成されている。両ボス７７は左右方向に水平に延びる同軸上に配置される。ボス７７は筐体２１に形成される案内溝２１２（図７参照）に挿嵌され回動可能及びスライド可能に支持される。
【００２９】
［パネルユニット及び板状部材を筐体に組み付けた構成］
図７は図３のＡ−Ａ線断面図、図８は図４のＢ−Ｂ線断面図である。パネルユニット４及び板状部材７を筐体２１に組み付けた状態では、パネルユニット４のボス４６は筐体２１の前面の上端部近傍に形成された孔（図示せず）に挿嵌され、回動可能に支持されている。また、板状部材７のボス７７は排出口５の左右の内壁であって、その前端部近傍に形成された案内溝２１２に挿嵌され、回動可能及びスライド可能に支持されている。
【００３０】
案内溝２１２は、筐体２１の前面と平行に上下方向に直線状に延びた２本のレールによって形成される溝である。ここで、案内溝２１２の上端部２１３を第１端部から近い第５端部の一例、案内溝２１２の下端部２１４を第１端部から遠い第６端部の一例とする。案内溝２１２は、板状部材７が第４位置にある場合にボス７７を上端部２１３側に案内し（図８の状態）、板状部材７が第３位置にある場合にボス７７を下端部２１４側に案内する（図７の状態）。
【００３１】
このように、案内溝２１２を筐体２１に設けることにより、パネルユニット４に案内溝を設けた場合に比べてパネルユニット４の剛性を犠牲にすることがない。筐体２１はパネルユニット４に比べて十分に大きいので案内溝２１２を設けることによる剛性の低下の影響は小さい。
【００３２】
よって、図８に示した突出姿勢において、ユーザが誤ってパネルユニット４の下端部４５に手を掛けて複合機１を持ち上げようとした場合に加わる負荷に対して、パネルユニット４の剛性を向上させることができる。さらに、第２連結部８２はパネルユニット４の下端部４５に近づけて配置することにより、ユーザがパネルユニット４の下端部４５に手を掛けにくくなるので、パネルユニット４に手を掛けて持ち上げられることを抑制できる。
【００３３】
また、図８に示すように、パネルユニット４が第２位置にあり、板状部材７が第４位置にある状態において、板状部材７は以下のような配置となるように構成されている。すなわち、第２連結部８２の回動軸である第２回動軸と板状部材７のボス７７と案内溝２１２の下端部２１４とを第２回動軸に垂直な面に投影して形成されるボス７７を頂点とする角θが鈍角となるように構成されている。
【００３４】
角θが鈍角であることにより、パネルユニット４が持ち上げられた場合に対する剛性を向上させることができる。加えて、パネルユニット４が第２位置から第１位置へ回動する場合に、ボス７７が引っ掛かることなく案内溝２１２に沿って下方へ移動できるので、板状部材７は第４位置から第３位置へ移動する。
【００３５】
なお、案内溝２１２は必ずしも鉛直方向に延びている必要はなく、上下方向に延びていれば鉛直方向に対して斜めであってもよい。例えば、下端部２１４が上端部２１３よりも後方に位置するように斜めに延在していてもよい。また、案内溝２１２は必ずしも直線状である必要はなく、湾曲や屈曲していてもよい。
【００３６】
また、図７に示すように、パネルユニット４が第１位置にあり、板状部材７が第３位置にある状態において以下のように構成されている。すなわち、板状部材７が排出口５の全部を覆う大きさに構成されている。これにより、複合機１が使用されていない状態、つまりパネルユニット４が収納姿勢にある場合に、板状部材７によって排出口５が覆われ、複合機１内部が隠されるので、意匠性が向上するとともに、排出口５から複合機１内への埃等の異物の侵入を抑制できる。
【００３７】
なお、板状部材７が排出口５の一部を覆う大きさに構成されていてもよい。板状部材７が排出口５を覆う面積が大きいほど、意匠性は向上し、異物の侵入を抑制する効果は大きくなる。
【００３８】
［シートガイドとしての板状部材］
図９は図４のＣ−Ｃ線断面図である。パネルユニット４が第２位置にあり、板状部材７が第４位置にある状態において以下のように構成されている。すなわち、板状部材７の排出口５側の面である前板部７１の前面がシートを排出するガイドとなる。
【００３９】
まず、シートカセット６の上方に、搬送されるシートの上面をガイドする複数のリブ２３が設けられている。リブ２３とシートカセット６との間に画像形成部から排出口５に繋がる搬送経路が形成される。この搬送経路中であってリブ２３の後端部近傍にシートを排出口５へ向けて搬送する排出ローラ２４が設けられている。
【００４０】
そして、板状部材７の前板部７１における前面側の下端部が、リブ２３の下端部の延長線上又は延長線上よりも上側に配置される。これにより、板状部材７の前板部７１の前面がシートを排出する上側のガイドとなり、葉書等の腰のあるシートを排出する場合でもシートの先端がパネルユニット４に衝突して折れ曲がることを防止できる。また、前板部７１の上端部７１１を下向きに屈曲した形状とすることで、シートはパネルユニット４にさらに衝突しにくくなる。
【００４１】
［パネルユニット及び板状部材の動作］
パネルユニット４が収納姿勢から突出姿勢へ移動する動作について説明する。図７に示した状態において、ユーザがパネルユニット４の下端部４５に手を掛けて前方へ引き上げると、パネルユニット４は第１連結部８１の第１回動軸線４６Ａを回動の中心として前上方へ回動する。このとき、板状部材７のボス７７は案内溝２１２に沿って上方へスライドするとともに、板状部材７は第２連結部８２の第２回動軸線４７Ａを回動の中心としてパネルユニット４と逆方向に回動する。つまり、パネルユニット４と板状部材７とはＶ字型に折り畳まれる。そして、図８に示すように、角θが鈍角となる範囲内でパネルユニット４は突出姿勢である第２位置に到達し、板状部材７は排出口５を開放する第４位置に到達する。
【００４２】
次に、パネルユニット４が突出姿勢から収納姿勢へ移動する動作について説明する。図８に示した状態において、ユーザがパネルユニット４を押し下げると、パネルユニット４は第１連結部８１の第１回動軸線４６Ａを回動の中心として後下方へ回動する。このとき、板状部材７のボス７７は案内溝２１２に沿って下方へスライドするとともに、板状部材７は第２連結部８２の第２回動軸線４７Ａを回動の中心としてパネルユニット４と逆方向に回動する。つまり、パネルユニット４と板状部材７とは直線状に伸びる。そして、図７に示すように、パネルユニット４は収納姿勢である第１位置に到達し、板状部材７は排出口５を覆う第３位置に到達する。
【００４３】
なお、パネルユニット４及び板状部材７はモータ等の駆動源を用いることで自動で移動するようにしてもよい。例えば、モータの駆動力を第１連結部８１に伝達するギヤ列を設け、複合機１の電源のオン／オフに応じてパネルユニット４を第２位置／第１位置に回動させるようにしてもよい。
【００４４】
［変形例］
図１０は変形例の複合機の断面図である。複合機１０は、パネルユニット１１が収納姿勢である第１位置にあり、板状部材７が第３位置にある状態において、パネルユニット１１の前面及び板状部材７の前面が筐体２１の一側面である前面と面一である。ここでいう面一とは、パネルユニット１１の前面、板状部材７の前面、筐体２１の前面が前後方向において同じ位置にあることを意味し、３つの前面が滑らかに連続する位置にあることを言う。その他の構成は上述した複合機１と同様である。
【００４５】
このような構成は、例えば、上記の複合機１においてパネルユニット４のボス４７の位置を前方へずらすことで実現することができる。すなわち、変形例の複合機１０ではパネルユニット１１の下端部１１１の前面側近傍にボス１１２が設けられている。なお、筐体２１の一側面と面一にするのは、パネルユニット１１の前面と板状部材７の前面のどちらか一方の面であってもよい。
【００４６】
このように、収納姿勢におけるパネルユニット１１の前面を筐体２１の一側面である前面と面一にすることにより、パネルユニット１１と筐体２１との一体感が増す。その結果、意匠性が向上する。また、パネルユニット１１が収納姿勢である第１位置にあり、板状部材７が第３位置にある状態において、板状部材７の前面を筐体２１の一側面である前面と面一にすることにより、板状部材７とパネル筐体２１との一体感が増す。その結果、意匠性が向上する。
【００４７】
［実施形態の効果］
上記の実施形態である複合機１は、筐体２１と、操作部及び／又は表示部と、回動基端側の第１端部と、回動先端側の第２端部とを有するパネルユニット４とを備える。また複合機１は、筐体２１とパネルユニット４の第１端部近傍とを連結し、第１回動軸線を回動の中心として、筐体２の一側面に沿う第１位置とその一側面の外側へ向かって傾斜した第２位置との間で回動できるように、パネルユニット４を支持する第１連結部８１を備える。また複合機１は、第２端部側の第３端部と、第３端部と反対側の第４端部と、第４端部近傍に形成された第１回動軸線と平行なボス７７とを有し、パネルユニット４が第１位置にある場合に第３位置に位置し、パネルユニット４が第２位置にある場合に第４位置に位置する板状部材７を備える。また複合機１は、パネルユニット４の第２端部近傍と板状部材７の第３端部近傍とを連結し、板状部材７が、第２回動軸線を回動の中心として、第３位置と第４位置との間で回動できるように板状部材７を支持する第２連結部８２を備える。また複合機１は、筐体２１に一側面に沿って延びるように形成され、板状部材７が第４位置にある場合にボス７７を第１端部から近い第５端部側に案内し、板状部材７が第３位置にある場合にボス７７を第１端部から遠い第６端部側に案内する案内溝２１２を備える。そして、パネルユニット４が第２位置にあり、板状部材７が第４位置にある状態において、第２回動軸線とボス７７と第６端部とを第２回動軸線に垂直な面に投影して形成されるボス７７を頂点とする角θが鈍角である。
【００４８】
この構成によれば、案内溝２１２を筐体２１に設けることにより、パネルユニット４に案内溝を設けた場合に比べてパネルユニット４の剛性を犠牲にすることがない。よって、パネルユニット４が持ち上げられたときに加わる負荷に対する剛性を向上させることができる。また、角θが鈍角であることにより、パネルユニット４が持ち上げられた場合に対する剛性を向上させることができる。加えて、パネルユニット４が第２位置から第１位置へ回動する場合に、ボス７７が引っ掛かることなく案内溝２１２に沿って下方へ移動できるので、板状部材７は第４位置から第３位置へ移動する。
【００４９】
また上記の実施形態である複合機１によれば、筐体２１の一側面に画像形成されたシートの排出口５が形成され、パネルユニット４が第１位置にあり、板状部材７が第３位置にある状態において、板状部材７が排出口５の一部又は全部を覆っている。
【００５０】
この構成によれば、パネルユニット４が収納姿勢にある場合、板状部材７によって排出口５が覆われることによって、意匠性が向上するとともに、排出口５から装置内への埃等の異物の侵入を抑制できる。
【００５１】
また上記の実施形態である複合機１によれば、パネルユニット４が第２位置にあり、板状部材７が第４位置にある状態において、板状部材７の排出口５側の面がシートを排出するガイドとなっている。
【００５２】
この構成によれば、板状部材７をシートガイドとして利用することができ、葉書等の腰のあるシートを排出する場合でもシートの先端がパネルユニット４に衝突することを防止できる。
【００５３】
また上記の実施形態である複合機１によれば、第２連結部８２が第２端部で連結されている。
【００５４】
この構成によれば、パネルユニット４が第２位置にある場合に、ユーザがパネルユニット４の下端である第２端部に手を掛けにくくなるので、パネルユニット４に手を掛けて持ち上げられることを抑制できる。
【００５５】
また上記の変形例である複合機１０によれば、パネルユニット１１が第１位置にあり、板状部材７が第３位置にある状態において、板状部材７の前面が筐体２１の一側面と面一である。
【００５６】
この構成によれば、収納姿勢における筐体２１と板状部材７との一体感が増す。その結果、意匠性が向上する。
【００５７】
また上記の変形例である複合機１０によれば、パネルユニット１１が第１位置にあり、板状部材７が第３位置にある状態において、パネルユニット１１の前面が筐体２１の一側面と面一である。
【００５８】
この構成によれば、収納姿勢における筐体２１とパネルユニット１１との一体感が増す。その結果、意匠性が向上する。
【符号の説明】
【００５９】
１          複合機（画像形成装置）
４          パネルユニット
５          排出口
７          板状部材
２１        筐体
４２        表示部
４３        操作部
４４        上端部（第１端部）
４５        下端部（第２端部）
７４        下端部（第４端部）
７５        上端部（第３端部）
７７        ボス
８１        第１連結部
８２        第２連結部
２１２      案内溝
２１３      上端部（第５端部）
２１４      下端部（第６端部）
θ          角
【図１】
2017177770.tif 000003
【図２】
2017177770.tif 000004
【図３】
2017177770.tif 000005
【図４】
2017177770.tif 000006
【図５】
2017177770.tif 000007
【図６】
2017177770.tif 000008
【図７】
2017177770.tif 000009
【図８】
2017177770.tif 000010
【図９】
2017177770.tif 000011
【図１０】
2017177770.tif 000012